(57)【要約】【課題】冷風効果に優れ、衛生的に管理することができる冷風機を提供する。【解決手段】外部から空気を流入させ、これを送風するためのスクリューファン６０と、流入した空気が有する熱を水分により奪い取るための気化フィルター４０と、後方の一方側に設けられ、着脱可能な水タンク１０と、水タンク１０から流入する水を溜め、気化フィルター４０から落下する水を溜める水受け容器２０と、水受け容器２０に溜まった水を気化フィルター４０の上方に移送させるポンプ８０と、ポンプ８０を介して水受け容器２０に溜まった水を吸い込むための回転式吸収部９０と、多数のノズル１３０を設け、それらのノズル１３０を通してスプレー式に水を自然落下して気化フィルター４０を濡らせる水供給筒５０とを備え、気化フィルター４０を、温度低減効果が極大化するように、スクリューファン６０の前面に取り付けた冷風機。【選択図】  図１
2004279018.tif 000002
【特許請求の範囲】
【請求項１】
外部から空気を流入させ、これを送風するためのスクリューファンと、前記流入した空気が有する熱を水分により奪い取るための気化フィルターを有する冷風機であって、
前記冷風機の後方の一方側に、着脱可能に設けられた水タンクと、
前記水タンクから流入する水を溜め、前記気化フィルターから落下する水を溜める水受け容器と、
前記水受け容器に溜まった水を気化フィルターの上方に移送するポンプと、
前記ポンプにより水受け容器に溜まっている水を吸い込むための回転式吸収部と、
複数のノズルが設けられ、それらのノズルを通してスプレー式に水を自然落下して、前記気化フィルターを濡らせる水供給筒とを備え、
前記気化フィルターを、温度低減効果が極大化するように、前記スクリューファンの前面に取り付けた冷風機。
【請求項２】
前記水受け容器は、前記冷風機の下部に取り外し可能に設けられ、冷風機本体から容易に取り外しできるように、取っ手溝と、底溝と、係止突起とを備えている請求項１に記載の冷風機。
【請求項３】
前記回転式吸収部は、水受け容器の水を吸い込むための吸い込み部と、前記水受け容器を本体から取り外すか、あるいは取り付ける際に、前記吸い込み部を回転可能にするヒンジ部及びリブ型突起と、前記吸い込み部に復元力を与えるための弾性部とを備えている請求項１に記載の冷風機。
【請求項４】
前記気化フィルターの形状は、露出断面積を極大化するために、鋸歯状になっている請求項１に記載の冷風機。
【請求項５】
前記水受け容器の上側に、溜まっている水を殺菌処理するための殺菌ランプが取り付けられている請求項１に記載の冷風機。
【発明の詳細な説明】
【０００１】
【発明の属する技術分野】
本発明は冷風機に関する。
【０００２】
【従来の技術】
冷風機は、風のみが吹き出るようになっている扇風機に比べ、外部から流入する空気が有する熱を気化フィルターを介して吸収することが可能であり、より涼しい風が得られることで、現在広く普及しつつある。また、夏季のエネルギー需給問題を考える上で、今後その需要は、さらに増大すると予測される。
【０００３】
通常、冷風機は、下方に別の水筒を備え、これに冷却パックを入れて水の温度をさらに低くした後、この水を上方の水筒へポンプを用いて移動させ、気化フィルターを介して下方に流すようにする方式、気化フィルターに別のモータを備え、モータの回転によって下部側の水筒で濡らされた気化フィルターの一側が、モータの回転によって全体の気化フィルターにわたって濡らされるようにする方式、および、冷風機の上部側に氷を溜めておく筒を備え、この氷が漸次溶けながら気化フィルターの上部側から氷水が濡らされるようにする方式のいずれかを採用している。たとえば、特許文献１は、負の融解熱を発生する冷熱材を用いた冷風機を開示している。
【０００４】
【特許文献１】
特開２００２−２１３８５０号公報
【０００５】
【発明が解決しようとする課題】
このような従来の冷風機は、冷風効果がやや劣ることを補うために、別の氷や氷パックを用いており、それも氷が完全に溶け終わった後には、エアコン風のような清涼感を期待しにくく、さらに、気化フィルターが冷風機の空気流入口側に取り付けられていることから、構造上、いずれの空気が気化フィルターを介して流入されず、冷風効率が少し低下するという問題があった。
【０００６】
また、冷風機内部に水を溜める溜まり部が本体から取り外しにくい構造となっており、一定の期間の間で使用した後、これを取り外して洗浄するなど、衛生的に管理するに煩わしさがあるという問題があった。
【０００７】
本発明は、上記問題に鑑みなされたものであって、冷風効果に優れた冷風機を提供することを目的とする。また、本発明は、衛生的に管理することができる冷風機を提供することを目的とする。
【０００８】
【課題を解決するための手段】
上記の目的を達成するため、本発明の冷風機は、外部から空気を流入させ、これを送風するためのスクリューファンと、前記流入した空気が有する熱を水分により奪い取るための気化フィルターを有し、前記冷風機の後方の一方側に着脱可能に設けられた水タンクと、前記水タンクから流入する水を溜め、前記気化フィルターから落下する水を溜める水受け容器と、前記水受け容器に溜まった水を気化フィルターの上方に移送するポンプと、前記ポンプにより水受け容器に溜まっている水を吸い込むための回転式吸収部と、複数のノズルが設けられ、それらのノズルを通してスプレー式に水を自然落下して、前記気化フィルターを濡らせる水供給筒とを備え、前記気化フィルターを、温度低減効果が極大化するように、前記スクリューファンの前面に取り付ける。
【０００９】
また、本発明の実施の形態によると、前記水受け容器は、前記冷風機の下方に取り外し可能に設けられ、冷風機本体から容易に取り外しできるように、取っ手溝、底溝、係止突起を備えている。
【００１０】
さらに、本発明の他の実施の形態によると、前記回転式吸収部は、水受け容器の水を吸い込むための吸い込み部と、前記水受け容器を本体から取り外すか、あるいは取り付ける際に、前記吸い込み部を回転可能にするヒンジ部及びリブ型突起と、前記吸い込み部に復元力を与えるための弾性部とを備える。
【００１１】
また、本発明による気化フィルターの形状は、露出断面積を極大化するために、鋸歯になっていることが好ましい。
【００１２】
このように、本発明によれば、スクリューファンの前面に露出断面積を極大化した形状となる気化フィルターを設け、下方の水受け容器が容易に取り外しできるようすることにより、相対的に気化能力が向上すると共に衛生的な管理も可能な冷風機を提供することができる。
【００１３】
【発明の実施の形態】
以下、本発明の好ましい実施の形態の冷風機について、添付図面に基づいて詳しく説明する。
【００１４】
図１は、本発明に係る冷風機の水タンク１０、水受け容器２０、前面パネル部３０、気化フィルター４０、水供給筒５０、スクリューファン６０、後面パネル部７０、ポンプ８０、回転式吸収部９０、及び操作部１００などをそれぞれ分解して示す図である。図示のように、冷風機の前面パネル部３０は、冷やされた空気を送風する冷風口３２が設けられており、冷風口３２には、送風される空気の方向を調節するための複数のガイド３４が取り付けられたグリルが備えられている。従って、ガイド３４を介して送風方向を上下に調節することが可能となる。本実施例の冷風機において、冷風口３２の大きさは、スクリューファンの送風能力などを考慮して、最適の大きさになるように設定することが好ましい。
【００１５】
前面パネル部３０は、本体５５の下方に取り付けられる水受け容器２０の直上方で本体５５と締め付け、係合されるように構成される。冷風機の前面パネル部３０の内側には、冷風機本体の後面から流入した空気が有する熱を水分により奪い取り、より低い温度の空気にするための気化フィルター４０が取り付けられる。気化フィルター４０と隣接する上方には、水供給筒５０が設けられている。
【００１６】
冷風機本体５５の下部側には、水タンク１０から流れ降りる水を溜めたり、気化フィルター４０から落下する水を溜めるための水受け容器２０が備えられる。水受け容器２０は、図１に示すように、前面に設けた取っ手溝２７に手をかけて冷風機本体５５から容易に取り外し可能に構成されており、各種の異物質などによる汚染時に容易に取り外して洗浄することが可能となる。取り外し可能な水受け容器２０は、図３を参照して、以下においてさらに説明する。
【００１７】
冷風機内部の中央には、流入した空気を気化フィルター４０へ送風するためのスクリューファン６０が設けられ、内部の一方側には、下方の水受け容器２０の水を吸い込むための吸い込み部２１を有する回転式吸収部９０と、吸い込み部２１を通して水を上方の水供給筒５０に移送するためのポンプ８０とがそれぞれ取り付けられている。これらの内部構造は、前面パネル部３０と共に後面パネル部７０により覆われる。本体の後方の一方側には、水を外部から内部の水受け容器２０に供給するための水タンク１０が着脱可能に取り付けられる。
【００１８】
また、冷風機本体の上端面には、冷風機を操作するための各種操作ボタンや陰イオン放出表示ランプ、水位表示器のような種々の表示器などが設けられた操作部１００が配置されており、これにより、冷風機の状態を一目で把握したり、各機能を調節することが可能となる。
【００１９】
以上、図示するように、本発明による冷風機は、上記構成要素を最適化して配置することにより、優れた冷風効果を得ながらもコンパクトな構造を備える。
【００２０】
図２は、本発明の実施の形態による冷風機の内部構造を詳しく示す図であり、スクリューファン６０と、ポンプ８０と、回転式吸収部９０と、安全装置１１０と、モータ１２０と、殺菌ランプ１４０とが設けられ本体５５の下方は、水受け容器の装着可能な空間５６が設けられている。
【００２１】
本発明によるスクリューファン６０は、冷風機の中央部のケーシング内部に取り付けされ、スクリューファン６０を駆動するためのモータ１２０がその一方側に取り付けられて、前面パネル部に設けられた冷風口に空気を送風するようになっている。スクリューファン６０の下方には、水受け容器の取り付けられる空間５６が設けられており、その一方側には、回転式吸収部９０が取り付けられる。回転式吸収部９０の上方は、ポンプ８０と連結されており下方の水が上方の水供給筒５０に持続的に供給されるようになる。
【００２２】
一方、本発明による水受け容器（図１の２０）は、図１に示すように、冷風機本体５５の下部において、前方へ着脱可能であり、このように、取り外しまたは取り付けを容易にするために、回転式吸収部９０が設けられている。即ち、回転式吸収部９０は、吸い込み部２１と、吸い込み部２１を回転自在にするヒンジ部２２と、リブ型突起２６と、吸い込み部２１に復元力を与えるための弾性部２３とを備えている。吸い込み部２１は、図２に示すように、水を吸い込むための別のホースまたは管が付けられやすいように、一方側が開放されている構造となっている。弾性部２３は、好ましくは、コイルスプリングからなる。
【００２３】
このような構成の回転式吸収部９０は、水受け容器２０が本体から取り外された場合には、弾性部２３により、図示するように、吸い込み部２１が上方に上がった状態に保持される。一方、水受け容器２０を本体の前方から嵌め込む場合には、水受け容器２０の側面が回転式吸収部９０に設けられたリブ型突起２６を押すことにより、回転式吸収部９０が一定の角度だけ回転する。その結果、一体に設けられた吸い込み部２１もやはり下方に回転して、水受け容器２０内の水の中に浸されるようになる。再び、必要に応じて、水受け容器２０を本体から取り外すと、吸い込み部２１は、弾性部２３の復元力によりヒンジ部２２を中心に上方向に回転し、上がった状態を維持する。このように、回転可能な回転式吸収部９０を使用することにより、本発明による水受け容器２０は、冷風機本体との取り外しまたは取り付けの過程がより簡単となる。
【００２４】
一方、水受け容器２０の上部側には、溜まった水を殺菌処理するための少なくとも一つ以上の殺菌ランプ１４０が取り付けられる。殺菌ランプ１４０としては、通常の殺菌処理装置に使用されるＵＶランプを用いる。また、冷風機本体５５の枠の一方側には、冷風機の動作中に、前面パネル部３０が冷風機本体５５から取り外される場合に備えて、自動に電源を遮断する安全装置１１０を取り付けて、異常事態の発生時、冷風機の作動が止まるようになっている。
【００２５】
従って、本発明に係る冷風機は、本体から取り外し可能な水受け容器を使用し、洗浄がより容易となり、さらに、殺菌処理を行うことで、より衛生的な管理が可能となるという利点がある。
【００２６】
図３は、図２の回転式吸収部９０を含む冷風機本体５５の底面を詳しく示す図である。本発明に係る冷風機は、図１に示すように、水受け容器（図１の２０）が本体から取り外し可能なように構成される。このために、冷風機本体５５の底面には、固定レール２４が設けられ、かつ、水受け容器２０の底面には、固定レール２４に対応する位置に所定の深さを有する底溝が設けられている。さらに、本体５５の底面には、係止溝２５が設けられ、係止溝２５に係り止められるための係止突起が水受け容器２０の底面に形成されている。この構造により、水受け容器２０が完全に装着される位置で係止突起が係止溝２５に係り止められて、ある程度の衝撃を受けても水受け容器２０が外れることがない。水受け容器２０の底面に設けられる底溝や係止突起の形状は、冷風機本体５５の底面に設けされた固定レール２４と係止溝２５とにそれぞれ対応する形状であればよく、詳細な図示は省略する。このような構成にすることによって、水受け容器２０と冷風機本体５５とのスライディングが円滑になり、水受け容器２０の取り外しまたは取り付けを容易に行うことが可能となる。
【００２７】
これに加えて、水タンク１０が冷風機本体５５の一方側に取り付けられている場合、水受け容器２０が本体から取り外すことができないように、取り外し防止部（図示せず）をさらに備える。これは、水タンクの下方の注入口が水受け容器２０に設けられた孔に係り止められることにより、水タンク１０を取り外すことができないようにするためのものである。
【００２８】
つまり、本発明に係る冷風機は、従来の冷風機とは異なり、回転式吸い込み部を備え、かつ、本体と取り外し可能な水受け容器を使用することにより、使用上の便宜さを図り、より衛生的な管理が可能となるという利点を備える。
【００２９】
図４は、水タンク１０を着脱する過程を示す冷風機の後方の外観である。図示するように、後方の一方側には、本体と着脱可能な水タンク１０が設けられており、必要な水を容易に入れて供給することができる。水タンク１０に満たされた水は、下方の接触式開閉バルブ３１を介してさらに下方の水受け容器２０に流れ込み、流入される空気の熱を奪い取る媒体として使用される。また、水タンク１０の他に、後面には外部から空気が流入する流入口１５０が後方パネル部に設けられており、流入口１５０には、流入する空気に含まれている各種異物質をフィルタリングする空気フィルターが一体的に備えられている。
【００３０】
図５は、下面に多数のノズル１３０が設けられている水供給筒５０と、水供給筒５０の下面に取り付けられる気化フィルター４０を示す詳細図である。ノズル１３０を通して、水供給筒５０の水は、スプレー式に気化フィルター４０に落下され、気化フィルター４０の全体を濡らせる。
【００３１】
通常、冷風機の気化性能を決定する重要な因子としては、ノズルやフィルターの形状が挙げられる。水供給筒５０の下面に一定の間隔を置いて設けられている下部の水受け容器２０から水が供給されるとき、水供給筒５０の水位を一定に保持しながら、全体として均一に気化フィルター４０に流れ込むようにノズル１３０の形状を設計することが非常に重要である。
【００３２】
さらに、気化フィルター４０の形状は、気化能力を左右することから、冷風機において最も重要な因子ということができる。気化能力をより向上するためには、フィルターと空気との接触面積、即ち、露出断面積を最大限大きくするのが良い。しかし、露出断面積が大き過ぎると、気化フィルターの目が、細かくなりすぎ、むしろ風速減少や風量減少に繋がり、好ましくない結果を招く。
【００３３】
本発明では、冷風口３２の面積と気化フィルター４０が占める面積との比を変数として、適当に可変しながら前述の問題を解決し、これにより、最適の気化フィルター形状を得て取り付けることができる。本発明による気化フィルター４０では、フレームの役割を有する仕切り板４１を用いて区間を左右に適宜に仕切り、このように仕切られた各区間に短冊状のフィルター４２を詰め込む。このとき、できる限り露出断面積を極大化するために、全体形状を、好ましくは、鋸歯状になるようにして縦方向に詰め込む。このような構成の気化フィルター４０は、水供給筒５０の下方空間、即ち、ノズル１３０直下に取り付けられる。このようにフィルターの露出断面積を極大化する場合、気化フィルターを通して排出される空気は、微細な大きさで多量の湿潤を相対的に多く含有することになり、その結果、周囲空気の気化熱をより多く奪い取ることで、温度をさらに低下させる効果を発揮する。これは、気化能力の極大化につながり、冷風口から吐き出される空気の清涼感を増す結果を生み出す。
【００３４】
また、冷風機内部に流入する空気がスクリューファン６０を通過する過程で乱流の形成が促進される。これにより、鋸歯状で露出断面積を極大化した気化フィルター４０と共に、上昇作用を起こして空気が有する熱の吸収がより活発に行われるようになる。これに加えて、スクリューファンの前面に気化フィルター４０が取り付けられていることから、構造的に冷風機の外部に放出されるいずれの空気も必ず気化フィルター４０を介して吐き出されるようになり、冷風効率もより良くなる。
【００３５】
従って、前述のことから、同一の容量の冷風機に比べて、相対的に温度低減の効果が高くなり、効率良い冷風機を提供することができる。
【００３６】
気化フィルター４０に使用されるフィルター４２は、水分の吸収が良く、通風性の良い材質を選択するのが重要であり、種々の繊維材を使用した結果、抗菌処理された人造絹糸を選択してフィルターを形成することが好ましい。
【００３７】
以上のように、本発明においては、スクリューファンの前面に気化フィルターを取り付けるが、このとき、気化フィルターは、気化能力を極大化する形状とし、かつ、下方の水受け容器が本体と容易に取り外し可能にして、冷風機の衛生的な管理を容易にすることを基本的な技術思想としている。このような本発明の基本的な技術思想を逸脱しない範囲内で、当業界の通常の知識を有する者にとっては、他の多くの改変が可能である。
【００３８】
【発明の効果】
以上のように、本発明に係る冷風機によれば、露出断面積を極大化した気化フィルターを形成し、これをスクリューファンの前面に設けることにより、冷風効果に優れた冷風機を提供することが可能となる。
【００３９】
また、本発明による冷風機によれば、回転式吸収部を取り付けることにより、水を溜める水受け容器が本体から容易に取り外し可能となる。このため、本体内部の汚染物質や異物質などを容易に洗浄することができる。さらに、殺菌ランプを用いることにより、より厳密な衛生管理が可能となる。
【００４０】
従って、本発明による冷風機は、効率性や管理の面および製品の信頼性に優れ、製品として高い購買力を備える。
【図面の簡単な説明】
【図１】本発明の冷風機の一実施形態を示す分解斜視図である。
【図２】図１の冷風機の内部構造を示す後方斜視図である。
【図３】図２の回転式吸収部を包含する冷風機本体の底面の斜視図である。
【図４】図１の冷風機の後方外観を示す斜視図である。
【図５】図２に示した気化フィルターの取り付け状態と水受け容器の下方に設けられたノズルを示す例示斜視図である。
【符号の説明】
１０  水タンク
２０  水受け容器
２１  吸い込み部
２２  ヒンジ部
２３  弾性部
２４  固定レール
２５  係止溝
２６  リブ型突起
２７  取っ手溝
３０  前面パネル部
３１  接触式開閉バルブ
３２  冷風口
３４  ガイド
４０  気化フィルター
４１  仕切り板
４２  フィルター
５０  水供給筒
５５  本体
５６  空間
６０  スクリューファン
７０  後面パネル部
８０  ポンプ
９０  回転式吸収部
１００  操作部
１１０  安全装置
１２０  モータ
１３０  ノズル
１４０  殺菌ランプ
１５０  流入口
【図１】
2004279018.tif 000003
【図２】
2004279018.tif 000004
【図３】
2004279018.tif 000005
【図４】
2004279018.tif 000006
【図５】
2004279018.tif 000007